(57)【要約】【課題】  排水管の検査に際し、種々の規格の蓋体に対応して、狭い空間でも作業しやすく、容易に蓋体を取り外すことができる蓋体取り外し工具を提供する。【解決手段】  蓋体取り外し工具１は、蓋体の周囲に巻き付け可能な環状に形成された主ベルト２と、先端部に前記主ベルトを巻き付け可能に取り付けた把み棒３とを有する。【選択図】  図１
0003118475.tif 000002
【実用新案登録請求の範囲】
【請求項１】
排水管の検査口にネジ構造により装着された蓋体を取り外すための工具であって、
前記蓋体の周囲に巻き付け可能な環状に形成された主紐と、
先端部に前記主紐を巻き付け可能に取り付けた把み棒と
を有することを特徴とする蓋体取り外し工具。
【請求項２】
請求項１記載の蓋体取り外し工具において、
前記把み棒は、少なくともその一部が多角柱に形成されたことを特徴とする蓋体取り外し工具。
【請求項３】
請求項１又は２記載の蓋体取り外し工具において、
前記主紐の一部からその幅方向に延びる環状に形成された補助紐を有することを特徴とする蓋体取り外し工具。
【請求項４】
請求項１、２又は３記載の蓋体取り外し工具において、
前記主紐は前記把み棒の先端部に摺動自在に取り付けられていることを特徴とする蓋体取り外し工具。
【請求項５】
請求項１乃至４のいずれか記載の蓋体取り外し工具において、
前記主紐の環の内側に滑り止めを設けたことを特徴とする蓋体取り外し工具。
【請求項６】
請求項１乃至５のいずれか記載の蓋体取り外し工具において、
前記把み棒の後端に多角形断面の凹部を設けたことを特徴とする蓋体取り外し工具。
【考案の詳細な説明】
【技術分野】
【０００１】
本考案は、排水管の検査口に着脱可能な蓋体を取り外すための工具に関する。
【背景技術】
【０００２】
ビルや集合住宅等の排水管には、Ｔ字状の分岐管により本管から分岐して設けられた検査口があり、これは通常、蓋で覆われており、検査時には蓋を取り外して排水管の内部点検等を行う。検査口及び蓋の直径は 10cm 以上の大口径である場合が多く、検査口の内部には螺子部（雌ねじ）が設けられる一方、蓋にも対応する螺子部（雄ねじ）が設けられて、両方の螺子部によりネジ構造を構成し、検査口に対して蓋を回転させることにより着脱可能となっている。従来、蓋の着脱は手作業で行われている。
【考案の開示】
【考案が解決しようとする課題】
【０００３】
しかしながら、このような検査口は、通常、集合住宅等の壁に設置された筐体の中に位置しているため、作業がしづらい上、蓋はゴミの付着その他経年変化により検査口に固着することが多く、蓋の取り外しには大変な労力を要し、無理な作業により怪我する危険もあった。
【０００４】
本考案の目的は、上記のような排水管の検査に際し、種々の規格の蓋体に対応して、狭い空間でも作業しやすく、容易に蓋体を取り外すことができる取り外し工具を提供することである。
【課題を解決するための手段】
【０００５】
本考案は、排水管の検査口にネジ構造により装着された蓋体を取り外すための工具であって、前記蓋体の周囲に巻き付け可能な環状に形成された主紐と、先端部に前記主紐を巻き付け可能に取り付けた把み棒とを有することを特徴とする。ここで、紐には、ベルト、帯、その他索状のものを含む。
【０００６】
前記把み棒は、少なくともその一部が多角柱に形成されることが望ましい。
【０００７】
実施態様では、前記主紐の一部からその幅方向に延びる環状に形成された補助紐を有する。
【０００８】
前記主紐は前記把み棒の先端部に摺動自在に取り付けられることが望ましい。
【０００９】
前記主紐の環の内側には、滑り止めを設けることが望ましい。
【００１０】
前記把み棒の後端には、多角形断面の凹部を設けることが望ましい。
【考案の効果】
【００１１】
本考案の蓋体取り外し工具によれば、検査口の蓋を取り外す際には、主紐を蓋に巻きつけ、かつ把み棒を回転させて主紐を把み棒に巻きつける。これにより、主紐を蓋に強く密着させた状態となる。そして、把み棒を把持して管の中心線周りに回動させることにより蓋体を回転させると、小さな力で簡単に蓋体を取り外すことができる。また、紐は変形自在であるから狭い空間でも作業がしやすく、多様な規格の蓋体に対応できる。
【００１２】
実施態様によれば、蓋体を回転させる際、主紐の一部からその幅方向に延びる環状に形成された補助紐を把持して引くことで、確実に蓋体を回転させて取り外すことができる。
【００１３】
また、把み棒の少なくとも一部が多角柱に形成されることで、その部分にモンキースパナなどの工具を係合させて把み棒に加わる力を増幅でき、より小さな力で蓋体を取り外すことができる。
【００１４】
主紐が前記把み棒の先端部に摺動自在に取り付けられることで、主紐の遊びをを調節でき、より作業がしやすくなる。
【００１５】
前記主紐の環の内側に滑り止めを設けることにより、前記紐と蓋体の間の摩擦が増し、より小さな力で蓋体を取り外すことができる。
【００１６】
把み棒の後端に設けた多角形断面の凹部にラチェットレンチなどの工具を嵌合することで把み棒に加わる力を増幅でき、小さな力で蓋体を取り外すことができる。
【考案を実施するための最良の形態】
【００１７】
図１は、蓋体取り外し工具１を示す。この蓋体取り外し工具１は、主ベルト２、把み棒３、補助ベルト４及び滑り止め５，６を備えている。
【００１８】
主ベルト２は、伸縮性が低く耐久性の高い合成布等の素材を長さ 40cm 程度の帯状に形成し、両端を縫合して環状にしたものである。
【００１９】
把み棒３は、長さ 20cm 、直径 3cm 程度の金属製の棒であり、先端に主ベルト２を通すための切込み１０を有する。この切込み１０に主ベルト２を通してピン１１を挿入することで、主ベルト２は切込み１０から抜けなくなるが、把み棒３に対し主ベルト２は長さ方向に摺動自在である。把み棒３の後端には、断面が正方形の凹部１２があり、また外面は六角柱に形成された把手部１３となっている。
【００２０】
補助ベルト４は、主ベルト２と同じ素材の長さ 20cm 程度の帯状の紐であり、その両端を主ベルト２の一点に縫合して環状に形成したものである。
【００２１】
滑り止め５，６はゴムなどの弾性体を、少しの力を加えて変形させることで主ベルト２に着脱可能な略Ｃ字形に形成したもので、広い方の面に数本の滑り止め線７がある。２つの滑り止め５，６を、互いに滑り止め線７のある面が向き合うように主ベルト２に取り付けることにより、主ベルト２及び蓋体２１の間の滑り止め効果を高める。
【００２２】
次に、図２を参照して、蓋体取り外し工具１の使用方法を説明する。
【００２３】
排水管２０は直径 15cm 程度のＴ字状の分岐管であり、上方へ延びる管２０ａ及び右方へ延びる管２０ｂに排水が流れる。左方は検査口２０ｃであり、通常時は蓋体２１で覆われている。
【００２４】
検査口２０ｃの内側には螺子部（雌ねじ）２０ｄが設けられ、蓋体２１にもこれに対応する螺子部（雄ねじ）２１ｄが設けてあるので、検査口２０ｃに、検査口２０ｃの中心線を軸として蓋体２１を時計回りに回転することで取り付け、反時計回りに回転することで取り外し可能となっている。
【００２５】
検査口２０ｃに取り付けられた蓋体２１を外す際には、蓋体取り外し工具１の主ベルト２の環の内側に蓋体２１が位置した状態で、把み棒３を、その軸を中心として反時計回りに回転させる。すると、主ベルト２が把み棒３に巻きつくことにより主ベルト２の張力が高まり、蓋体２１を締め付ける。
【００２６】
この際、把み棒３の六角形の把手部１３にモンキースパナ２２等の工具を係合させるか、或いは把み棒３の凹部１２に対応するラチェットレンチ２３の角部
２３ａを嵌合させて回転させることにより、小さな力で蓋体２１を強く締め付けることができる。
【００２７】
この状態で、把み棒３（又は把み棒３に係合したモンキースパナ２２やラチェットレンチ２３等の工具）を右手で把持し、矢印で示すように排水管２０の軸を中心として反時計回りに回転させると、主ベルト２に加わった力は滑り止め５，６の摩擦により蓋体２１に伝わり、蓋体２１が反時計回りに回転する。このとき、補助ベルト４に左手を通して把みながら行うことで、確実に蓋体を回転させて取り外すことができる。
【００２８】
上記作用により、小さな力で検査口２０ｃから蓋体２１を外すことができる。
なお、本文及び図面中の寸法等は一例であり、実際の使用態様に合せて設計されることが望ましい。
【図面の簡単な説明】
【００２９】
【図１】本考案の蓋体取り外し工具の実施例を示す斜視図。
【図２】実施例の蓋体取り外し工具の使用例を示す図。
【符号の説明】
【００３０】
１…蓋体取り外し工具、２…主ベルト、３…把み棒、４…補助ベルト、５，６…滑り止め、１０…切込み、１１…ピン、１２…凹部、１３…把手部、２０…排水管、２０ａ…上方へ延びる管、２０ｂ…右方へ延びる管、２０ｃ…検査口、２０ｄ…螺子部、２１…蓋体、２１ｄ…螺子部、２２…モンキースパナ、２３…ラチェットレンチ、２３ａ…角部。
【図１】
0003118475.tif 000003
【図２】
0003118475.tif 000004